(57)【特許請求の範囲】
【請求項１】
光源となる複数のＬＥＤユニット部材から構成されるＬＥＤユニットと、それを点灯させる電源装置とが取り付けられる上面カバーとなる本体と、
前記本体の下部に固定され、前記ＬＥＤユニットと前記電源装置を覆う透光性の保護カバーと、を備え、
前記ＬＥＤユニット部材は、
複数のＬＥＤ素子を実装したＬＥＤ基板と、
該ＬＥＤ基板を支持し前記本体に固定される基板支持体と、
前記ＬＥＤ基板の前面側に配置され、ＬＥＤ照射方向の前面部が略平面状であり、かつ前記ＬＥＤ基板のＬＥＤ素子に対応して該ＬＥＤ素子が露出する放物曲線の凹湾曲状の複数の反射開口部が形成された反射部材と、を有しており、
前記反射部材の前記反射開口部の周縁部を含む前記略平面状の前面部に光拡散面を形成したことを特徴とするＬＥＤ照明装置。
【請求項２】
光源となる複数のＬＥＤユニット部材から構成されるＬＥＤユニットと、それを点灯させる電源装置とが取り付けられる上面カバーとなる本体と、
前記本体の下部に固定され、前記ＬＥＤユニットと前記電源装置とを覆う透光性の保護カバーと、を備え、
前記ＬＥＤユニット部材は、
複数のＬＥＤ素子を実装したＬＥＤ基板と、
該ＬＥＤ基板を支持し前記本体に固定される基板支持体と、
前記ＬＥＤ基板の前面側に配置され、ＬＥＤ照射方向の前面部が略平面状であり、かつ前記ＬＥＤ基板のＬＥＤ素子に対応して該ＬＥＤ素子が露出する放物曲線の凹湾曲状の複数の反射開口部が形成された反射部材と、を有しており、
前記反射部材の前記反射開口部の周縁部を多角形状とするとともに、前記反射開口部の周縁部を含む前記略平面状の前面部に光拡散面を形成したことを特徴とするＬＥＤ照明装置。
【発明の詳細な説明】
【技術分野】
【０００１】
本発明は、ＬＥＤ照明装置に関し、特に駐車場等の屋外で使用するＬＥＤ照明装置に関するものである。
【背景技術】
【０００２】
近年、環境意識の高まりから、省電力化に優れたＬＥＤ素子を光源に使用したＬＥＤ照明装置が盛んに用いられるようになってきた。特に最近は、駐車場灯、道路灯、高天井灯などに使用されている水銀灯等の高輝度放電ランプ（ＨＩＤランプ）の代替としても使用できるＬＥＤ照明装置が求められている。
【０００３】
例えば特許文献１には、筐体と、その一端部を覆うアウタレンズによって形成される空間内に、ＬＥＤが実装されたＬＥＤ基板、ＬＥＤを駆動する点灯装置、ＬＥＤから出射される光を配光制御するリフレクタを収容してなるＬＥＤ照明灯が開示されている。
【０００４】
このＬＥＤ照明灯によれば、ＬＥＤ照射光がリフレクタにより配光され、アウタレンズを透過して遠方に照射されるが、ＬＥＤ照射光の光成分の波長の違いにより、一部の光成分がリフレクタ周縁部で分光し発色する現象が生じることがある。例えば青色ＬＥＤと黄色蛍光体を組み合わせて白色光を照射するＬＥＤ発光体にあっては、波長の長い黄色の光成分がリフレクタ周縁部で発色する現象が生じることがあり、外観上の見栄えが悪いばかりでなく、アウタレンズで増幅されて被照射面の色むら、照度むら、の原因ともなる。
【先行技術文献】
【特許文献】
【０００５】
【特許文献１】特開２０１２−２４８３４２号公報
【発明の概要】
【発明が解決しようとする課題】
【０００６】
本発明は、上記問題点に鑑みなされたもので、ＬＥＤ照明装置による被照射面の色むら、照度むらを減衰させることができるＬＥＤ照明装置を提供するものである。
【課題を解決するための手段】
【０００７】
上記課題を解決するために、請求項１に係る発明にあっては、光源となる複数のＬＥＤユニット部材から構成されるＬＥＤユニットと、それを点灯させる電源装置とが取り付けられる上面カバーとなる本体と、
前記本体の下部に固定され、前記ＬＥＤユニットと前記電源装置を覆う透光性の保護カバーと、を備え、
前記ＬＥＤユニット部材は、
複数のＬＥＤ素子を実装したＬＥＤ基板と、
該ＬＥＤ基板を支持し前記本体に固定される基板支持体と、
前記ＬＥＤ基板の前面側に配置され、ＬＥＤ照射方向の前面部が略平面状であり、かつ前記ＬＥＤ基板のＬＥＤ素子に対応して該ＬＥＤ素子が露出する放物曲線の凹湾曲状の複数の反射開口部が形成された反射部材と、を有しており、
前記反射部材の前記反射開口部の周縁部を含む前記略平面状の前面部に光拡散面を形成したことを特徴とする。
【０００８】
また請求項２に係る発明にあっては、光源となる複数のＬＥＤユニット部材から構成されるＬＥＤユニットと、それを点灯させる電源装置とが取り付けられる上面カバーとなる本体と、
前記本体の下部に固定され、前記ＬＥＤユニットと前記電源装置とを覆う透光性の保護カバーと、を備え、
前記ＬＥＤユニット部材は、
複数のＬＥＤ素子を実装したＬＥＤ基板と、
該ＬＥＤ基板を支持し前記本体に固定される基板支持体と、
前記ＬＥＤ基板の前面側に配置され、ＬＥＤ照射方向の前面部が略平面状であり、かつ前記ＬＥＤ基板のＬＥＤ素子に対応して該ＬＥＤ素子が露出する放物曲線の凹湾曲状の複数の反射開口部が形成された反射部材と、を有しており、
前記反射部材の前記反射開口部の周縁部を多角形状とするとともに、前記反射開口部の周縁部を含む前記略平面状の前面部に光拡散面を形成したことを特徴とする。
【発明の効果】
【０００９】
請求項１及び請求項２に係る発明のＬＥＤ照明装置によれば、反射開口部から配光されたＬＥＤ照射光の一部の光成分が反射開口部の周縁部で発色しても、その発色が拡散ないし分散されるため、被照射面の照度むら、色むらを減衰させることができる等の効果が得られる。
【図面の簡単な説明】
【００１０】
【図１】本発明の実施形態を示すＬＥＤ照明装置の全体外観斜視図である。
【図２】同じくＬＥＤ照明装置の組立分解斜視図である。
【図３】同じくＬＥＤ照明装置のＬＥＤユニット部材の組立分解斜視図である。
【図４】同じくＬＥＤ照明装置のＬＥＤユニット部材の斜視図である。
【図５】図４に示すＬＥＤユニット部材の正面図である。
【図６】図５のＡ-Ａ線に沿う断面図である。
【図７】図５のＢ-Ｂ線に沿う断面図である。
【図８】同じくＬＥＤユニット部材に光拡散面を形成した状態の斜視図である。
【図９】同じくＬＥＤユニット部材の反射開口部を多角形状にした状態の斜視図である。
【図１０】同じくＬＥＤ照明装置の断面図である。
【図１１】同じくＬＥＤ照明装置の保護カバー（カバー部材）に光拡散面を形成した状態の斜視図である。
【発明を実施するための形態】
【００１１】
以下、本発明に係るＬＥＤ照明装置を駐車場灯に適用した場合の実施形態を説明する。図１は本発明に係るＬＥＤ照明装置（駐車場灯）の全体斜視図、図２はその組立分解図である。
【００１２】
図１及び図２に示すように、本発明のＬＥＤ照明装置１００は、上面カバーとなる本体１と、その本体１の下部に固定された保護カバー２と、本体１と保護カバー２（カバー部材）の内部に収納されるＬＥＤユニット４と、このＬＥＤユニット４の下端部（図示しない配線部分）を覆うためのインナーカバー３をと有している。本体１の内部には電源装置５と点灯制御装置６が設けられている。保護カバー２は本体１にネジ止め等により固定され、前記電源装置５と点灯制御装置６を含めて本体１内部に固定されたＬＥＤユニット４とインナーカバー３を覆っている。なお、本体１は金属や合成樹脂を使用して概略半円盤形状に成形されている。
【００１３】
前記ＬＥＤユニット４は、本体１の側面部の内周面に沿って配設される複数のＬＥＤユニット部材４１〜４５から構成され、本体１内部の略中央部には別のＬＥＤユニット部材４６が配設されている（ここでは便宜上、ＬＥＤユニット部材４１〜４５をＬＥＤユニット４としているが、ＬＥＤユニット部材４６をＬＥＤユニット４から除外するものではない）。なお、ＬＥＤユニット部材４１が本体１の正面位置に配設されており、符号は省略しているが、このＬＥＤユニット部材４１を中心面としてＬＥＤユニット部材４１〜４５と同じ組み合わせが本体１の内周面方向に対称に配置（図２の奥方向にも配置）されている。
【００１４】
これらＬＥＤユニット部材４１〜４６の基本的な部品構成を、ＬＥＤユニット部材４３を例にとって説明する。図３に示すように、ＬＥＤユニット部材４３は、複数のＬＥＤ素子４ａが実装されたＬＥＤ基板４ｂと、このＬＥＤ基板４ｂを支持する基板支持体４ｃと、ＬＥＤ基板４ｂのＬＥＤ素子４ａに対応して複数の反射開口部４ｄが形成された反射部材４ｅから構成されている。この反射開口部４ｄは、ＬＥＤ素子４ａの照射光を配光するものであり、ＬＥＤ基板４ｂに実装されたＬＥＤ素子４ａの発光部が露出するような凹状湾曲面となっている。反射部材４ｅはＬＥＤ基板４ａを覆うように配置されており、ＬＥＤ基板４ａとともに基板支持体４ｃにネジ止め等により密接に固定され、一体化されている。反射部材４ｅの前面部、すなわちＬＥＤ照射方向の面は図３〜図９に示すように略平面状となっている。なお、ＬＥＤ基板４ｂには配線コネクタ４ｆが設けられている。
【００１５】
反射部材４ｅは高反射率の添加材が配合された合成樹脂で一体成形、または、耐熱性の良好な合成樹脂で一体成形された後、アルミ蒸着メッキなどのメッキ加工を施し反射率を高められる（反射面となっている）。また、基板支持体４ｃは熱伝導率の高いアルミニウム等で造られており、平板面の下端部を略「く」字状に屈曲して本体１との固定部４ｇが形成されている。
【００１６】
他のＬＥＤユニット部材４１,４２及び４４〜４６も、ＬＥＤ基板４ｂのＬＥＤ素子４ａの配列及びこれに対応した反射部材４ｅの反射開口部４ｄの配列を除いて構成部品は同じである。
【００１７】
これらＬＥＤユニット部材４１〜４６は、前述した反射部材４ｅの反射開口部４ｄの全部又は一部が、ＬＥＤ素子４ａの主光軸（配光曲線で最大光度を示す角度に沿った直線）に対して傾いた放物曲線の凹湾曲状反射面となっている。即ち、反射開口部４ｄは、下端部に小径開口部が形成され、上端部に大径開口部が形成された拡口形の湾曲形状となっており、ＬＥＤ素子４ａの発光部が小径開口部から露出するように配置されている。
【００１８】
反射開口部４ｄをＬＥＤ素子４ａの主光軸に対して傾けて形成する場合、その傾角が０度から２０度であれば、ＬＥＤ素子４ａの配光角をほぼ一定にしたまま照射角度を変えることができるので、この角度範囲内で照射角度を調整した反射開口部４ｄを形成することができる。反射開口部４ｄの傾け方向は任意であり、左右方向ないし上下方向に傾けて被照射面が所定照度以上となるように調整する。その代表例としてＬＥＤユニット部材４１について説明する。
【００１９】
図４及び図５に示すように、ＬＥＤユニット部材４１の反射部材４ｅは、上部横列と中央部横列に３個の反射開口部４１ａ〜４１ｃ及び４１ｄ〜４１ｆが形成され、下部横列に２個の反射開口部４１ｇ〜４１ｈが形成されている。また図５〜図７に示すように、ＬＥＤ基板４ｂには、反射開口部４１ａ〜４１ｈに対応した位置に、ＬＥＤ素子４１Ａ〜４１Ｈが配置されている。このＬＥＤ素子４１Ａ〜４１Ｈは、ＬＥＤ基板４ｂの上面に対して主光軸Ｘが垂直となるように配置されている。
【００２０】
下部横列の反射開口部４１ｇ，４１ｈは、図６に示すように、一方の反射開口部４１ｇがＬＥＤ素子４１Ｇの主光軸Ｘに対して左側に所定角度傾いた放物曲線の凹湾曲面となっており、他方の反射開口部４１ｈがＬＥＤ素子４１Ｈの主光軸Ｘに対して右側に所定角度傾いた放物曲線の凹湾曲面となっている。
【００２１】
また、上部横列の反射開口部４１ａ〜４１ｃは、図７に示すように、左側の反射開口部４１ａがＬＥＤ素子４１Ａの主光軸Ｘに対して左側に所定角度傾いた放物曲線の凹湾曲面となっており、右側の反射開口部４１ｃと中央部の反射開口部４１ｂが、各ＬＥＤ素子４１Ｂ，４１Ｃの主光軸Ｘに対して右側に所定角度傾いた放物曲線の凹湾曲面となっている。なお、中央部横列の３個の反射開口部４１ｄ〜４１ｆも図５に示すようにＬＥＤ素子４１Ｄ〜４１Ｆの主光軸Ｘに対して左右方向に所定角度傾いた放物曲線の凹湾曲面となっている。
【００２２】
以上はＬＥＤユニット部材４１を例にとって説明したが、その他のＬＥＤユニット部材４２〜４６の反射開口部４ｄも所定方向に傾けて形成されている。ただし、本体１の中央部に配置されるＬＥＤユニット部材４６は、主としてＬＥＤ照明装置１００の底面方向を照射するものであり照射むらが少ない場合は、反射開口部４ｄはＬＥＤ素子４ａの主光軸と一致した放物曲腺の凹湾曲面（反射開口部４ｄの主光軸に対する傾角が０度）とすることができる。
【００２３】
また、例えばＬＥＤユニット部材４３のように、奇数列の反射開口部が形成されている場合、中央列を中心にして左右列の反射開口部の傾きが対称となるようにしてもよい。具体的には、中央縦列の３個の反射開口部４ｄを傾けずにＬＥＤ素子４ａの主光軸と一致した放物曲線の凹湾曲面（反射開口部４ｄの主光軸に対する傾角が０度）とし、左右の縦列の３個の反射開口部４ｄを、一方を主光軸に対して所定角度左側に傾け、他方を右側に傾けるようにすることができる。このようにすれば、ひとつのＬＥＤユニット部材で広範囲のエリアを均一に照射することができる。
【００２４】
これらＬＥＤユニット部材４１〜４６の各反射開口部４ｄの傾角は、ＬＥＤ照射装置１００を設置する照明エリアが基準以上の照度となるように選択される。ちなみに駐車場灯は、道路１０ルクス以上、駐車エリア２ルクス以上の照度基準を満たすようにＬＥＤユニット部材４１〜４６の各反射開口部４ｄの数と配列（それに対応したＬＥＤ基板４ｂに実装されるＬＥＤ素子４ａの数と配列）を選択し、また各反射開口部４ｄの傾角を選択する。
【００２５】
ＬＥＤユニット部材４１〜４６の形態は図示したものに限定されるものではなく、光量を増減させるために、ＬＥＤ基板４ｂに実装されるＬＥＤ素子４ａの数と配列、それに対応した各反射開口部４ｄの数と配列を選択することができる。すなわち、ＬＥＤユニット部材４１〜４６の数を増減させることなく、個々のＬＥＤユニット部材のＬＥＤ素子４ａの数を増減するだけであるから、設置場所に対応したＬＥＤ照明装置１００の設計が容易となる。
【００２６】
前述のＬＥＤユニット部材４１〜４６の反射部材４ｅの前面部には、光拡散面が形成されている。代表例として、図８に示すＬＥＤユニット部材４２は、その前面部に光拡散面４ｈが形成されている。光拡散面とするためには、保護カバー２の所定位置の樹脂面をサンドブラスト処理して微細な凹凸（シボ）を形成する方法、保護カバー２の型枠面の所定位置に微細な凹凸を形成して保護カバー２を成型加工する方法、透光性樹脂に光拡散剤を添加する方法等、任意の方法が選択できる。光拡散面４ｈは、少なくとも反射部材４ｅの開口周縁部４ｉに所定の幅で形成されていればよい。図８では、反射部材４ｅの前面部の光拡散面４ｈを薄墨で示し、開口周縁部４ｉの光拡散面をそれよりも濃い薄墨で示している。
【００２７】
このように、ＬＥＤユニット部材４１〜４６の前面部に光拡散面４ｈを形成することにより、ＬＥＤ素子４ａの照射光が反射開口部４ｄに反射して所定角度で出射する際に、一部の光成分がその周縁部で分光し発色しても、その発色が光拡散面４ｈで拡散されることになる。
【００２８】
図９は、ＬＥＤユニット部材４１〜４６の反射開口部４ｄの別の実施形態を示している。同図に示す反射開口部４ｄは、開口部の形状が多角形状に形成されている。この場合、円に近い多角形状であることが好ましい。このように反射開口部４ｄを多角形状とすることにより、ＬＥＤ素子４ａの照射光が反射開口部４ｄに反射して所定角度で出射する際に、光成分が角部において分散し、反射開口部４ｄの周縁部での一部の光成分の発色が減衰されることになる。この多角形状の反射開口部４ｄの少なくとも周縁部に、前述した光拡散面４ｈを形成すると発色減衰効果がさらに向上する。
【００２９】
なお、図１〜図５に示すユニット部材４１〜４６には、前記光拡散面４ｈを示していないが、図８と同じような光反射面４ｈが形成されていることは言うまでもない。
【００３０】
このようなＬＥＤユニット部材４１〜４５は、図２に示すように、本体１の内面周方向に形成された縦横リブ形状の固定部１ａにネジ止め等により固定される。またＬＥＤユニット部材４６は、本体１の内面略中央部に形成された縦横リブ形状の固定部１ｂにネジ止め等により固定される。この中央部のＬＥＤユニット部材４６は、所定の角度で下面に向けて設置されている。なお、図示しないが、これら各ＬＥＤユニット部材４１〜４６は、電源装置５と配線コネクタ４ｆを介して配線により電気的に接続されている。
【００３１】
インナーカバー３は、本体１の形状と対応した概略半円盤形状であり、合成樹脂を使用して一体成形されている。このインナーカバー３は、図２に示すように、底面部３ａから立ち上がる周面部３ｂの下端縁部に折返部３ｃが形成されている。また、底面部３ａには本体１の内部に固定するための複数の凸状固定部３ｄが形成され、インナーカバー３は、この固定部３ｄと対応して本体１内部に設けられた複数の固定ボス１ｃとネジ止め等により固定されている。
【００３２】
インナーカバー３の略中央部には、ＬＥＤユニット４６と対面する傾斜部３ｅが形成されており、その傾斜部３ｅには開口部３ｆが開口されている。ＬＥＤユニット４６はその開口部３ｆを通して照射され、図１で示す支柱等の被取付部材７とは反対方向の下面が照射されるようになっている。
【００３３】
インナーカバー３は、本体１の内部に固定された電源装置５と点灯制御装置６を下方から覆うとともに、折返部３ｃにより各ＬＥＤユニット部材４１〜４６の下部に備えられた配線コネクタ４ｆと、それに接続された配線を覆っている。インナーカバー３は、図１に示すように、ＬＥＤユニット４の下端部を覆っているだけであるから、ＬＥＤユニット４からのＬＥＤ照射を妨げることはない。
【００３４】
保護カバー２は、インナーカバー３、ＬＥＤユニット４、電源装置５、点灯制御装置６の全体を覆い、上面カバーとなる本体１とともにこれらの収納部品を、風雨、粉塵等の外部環境から保護している。保護カバー２は、図２に示すように、本体１の形状に対応して略半円筒体のボックス形状となっており、本体１の底面形状に対応した上部開口部２ａと、前記インナーカバー３、ＬＥＤユニット４、電源装置５、点灯制御装置等の内装部品を収納できる深さの側面部２ｂと、底面部２ｃを有している。この保護カバー２は透光性樹脂により一体成形により造られている。
【００３５】
また、図１０に示すように、保護カバー２のＬＥＤユニット４と対面する側面部２ｂ−１（保護カバー２の前面部）は、ＬＥＤユニット４との間隔が小さくなるようにＬＥＤユニット４側に傾斜した形状となっている。これにより、ＬＥＤ照射光の側面部２ｂ−１への入射角が直角又は直角に近づくため、ＬＥＤ照射光が目標照射面に効率よく到達することになる。さらに側面部２ｂ−１が傾斜面となるため、透光性の阻害要因となる水滴、ゴミ等の付着物除去効果が期待でき、風圧減衰効果も期待できる。
【００３６】
この保護カバー２の全面又は一部には光拡散面（光散乱面）が形成されている。光拡散面を形成する手法は、前述のＬＥＤユニット部材４１〜４６に形成された光拡散面と同じである。
【００３７】
図１１に示す保護カバー２は、ＬＥＤユニット４からのＬＥＤ照射光の透光部２ｄを除き、保護カバー２の側面部２ｂと底面部２ｃの全面に光拡散面２０（図中において薄墨で示す）が形成されている。透光部２ｄは、前述したＬＥＤユニット部材４１〜４５の反射開口部４ｄの配列に対応した位置に形成されており、光拡散処理がなされずに素材である透光性樹脂材が露出している。透光部２ｄは、反射開口部４ｄの射光側開口形状に対応して円形に形成されている。また、透光部２ｄの透光性を高めるために金型の透光部２ｄの対応部を磨き処理を行い、透光部２ｄを鏡面仕上げにすることもできる。透光部２ｄからは、ＬＥＤユニット４のＬＥＤ照射光が透過し所定照射角度で遠方の被照射面を照射する。
【００３８】
この透光部２ｄの形状は、本発明では特に限定されるものではないが、反射開口部４ｄの開口部と相似する形状であり、透光部２ｄの領域を反射開口部４ｄの開口領域よりも小さくするのが好ましい。具体的には、透光部２ｄの口径を反射開口部４ｄの周縁部の開口径よりもやや小径の円形とするのが好ましい。これにより、反射開口部４ｄの周縁部が光拡散面２０で覆われることになり、ＬＥＤ素子４ａの照射光が反射開口部４ｄに反射して所定角度で出射する際に、一部の光成分がその周縁部付近で分光し発色しても、その発色が保護カバー２に形成された光反射面２０で拡散、減衰されることになる。
【００３９】
なお、反射開口部４ｄの、周縁部付近での発色減衰を目的とするならば、保護カバー２の全面に光拡散面２０を形成する必要はなく、少なくとも反射開口部４ｄの周縁部を覆う領域に光仮拡散面２０を形成すればよい。また、保護カバー２０の光拡散面２０だけで発色減衰効果が達成できるのであれば、これだけで充分であるが、前述したようなＬＥＤユニット部材４１〜４６の少なくとも反射開口部４ｄの周縁部に光拡散面を形成する手法や、反射開口部４ｄを多角形状にする手法を組み合わせることもできる。
【００４０】
また、保護カバー２の透光部２ｄを除いた全面を光拡散面２０とすることにより、ＬＥＤユニット４の各ＬＥＤ素子４ａからのＬＥＤ照射光の一部が保護カバー２に入射し、その光成分が光拡散面２０によって保護カバー２の全面に拡散される。このため、特にＬＥＤ照射装置１００の設置場所近辺の照射面の照射むらが解消され均一に照射されることになる。また、保護カバー２への投射光が拡散されることからグレア低減効果も得られる。
【００４１】
また、ＬＥＤユニット４の特に下段に配列した各ＬＥＤ素子４ａからの照射光の一部も保護カバー底面部２ｃに入射して該底面部２ｃに拡散するが、このＬＥＤユニット４からの照射光でＬＥＤ照明装置１００の底面方向の被照射面が基準以上の照度で均一に照射される場合は、前記ＬＥＤユニット部材４６を省略することができる。この場合、底面方向の被照射面の照度を高くするため、ＬＥＤユニット４の下段に配列した各反射開口部４ｄの全部又は一部を、ＬＥＤ素子４ａの主光軸に対して下方に所定角度傾け、光拡散面が形成された底面部２ｃへの入射光量を増大させてもよい。
【００４２】
保護カバー２の光拡散面２０を形成する位置は、前述した形態に限らず、ＬＥＤユニット４の配置、反射開口部４ｄの配列、保護カバー２の形状、等に応じて必要な位置に形成することができる。
【００４３】
なお、本体１の背面部（被取付部材７側）には、図２に示すように自動点滅ユニット８が設けられており、自動点滅ユニット８内に設けたセンサー出力信号に応じて、電源装置５に接続されている点灯制御装置６が供給電力の遮断、供給の制御を行い、ＬＥＤユニット４の消灯、点灯が行われる。
【００４４】
このようなＬＥＤ照明装置１００は、図１に示すように電柱やポール等の被取付部材７に取付アーム８により取り付けられる。この際、照明エリアが所定の照度となるようにＬＥＤ照明装置１００の取り付け位置の高さを調整する。
【００４５】
本発明のＬＥＤユニット部材４１〜４６は、反射部材４ｅを一体成形により製造することができるため、各ＬＥＤユニット部材４１〜４６を安価に量産することが可能となり、しかも、上述したようにＬＥＤユニット部材４２〜４５を、ＬＥＤユニット部材４１を中心にして左右対称に本体１に固定するだけであるから、組立性も向上する。
【００４６】
ＬＥＤユニット部材４１〜４６の反射開口部４ｄをＬＥＤ素子４ａの主光軸に対して傾けただけでは所定エリアの照度が不足する場合など、必要に応じてＬＥＤユニット部材の全体を傾斜させてもよい。上述の実施形態では、基板支持体４ｃを傾斜させることによりそれを実現することができる。
【００４７】
上述した実施形態は本発明の一例を示すものであり、ＬＥＤ照明装置の全体形状や細部の構成は、使用目的、設置場所等に応じて任意に変更することができる。なお、本発明のＬＥＤ照明装置は、街路灯等の屋外灯、高天井灯等の屋内灯として使用することができる。
【符号の説明】
【００４８】
１    本体
２    保護カバー
２ｂ  保護カバー側面部
２ｃ  保護カバー底面部
２ｄ  透光部
４ｄ  反射部材
４ｄ  反射開口部
４ｈ  光拡散面
４ｉ  反射開口部周縁部
２０  光拡散面
４１〜４６  ＬＥＤユニット部材
【要約】      （修正有）【課題】ＬＥＤ照明装置による被照射面の色むら、照度むらを減衰させることができるＬＥＤ照明装置を提供する。【解決手段】ＬＥＤ照明装置は、光源となるＬＥＤユニット部材４２と、それを点灯させる電源装置と、ＬＥＤユニット部材４２と前記電源装置とが取付けられる本体を備えている。ＬＥＤユニット部材４２のＬＥＤ照射光を配光する反射開口部４ｄの少なくとも周縁部４ｉに光拡散面を形成している。光拡散面を、反射開口部４ｄを除くＬＥＤユニット部材の表面全面に形成することもできる。反射開口部４ｄの開口部の周縁部を多角形状としてもよい。【選択図】図８【図１】
0005591971.tif 000002
【図２】
0005591971.tif 000003
【図３】
0005591971.tif 000004
【図４】
0005591971.tif 000005
【図５】
0005591971.tif 000006
【図６】
0005591971.tif 000007
【図７】
0005591971.tif 000008
【図８】
0005591971.tif 000009
【図９】
0005591971.tif 000010
【図１０】
0005591971.tif 000011
【図１１】
0005591971.tif 000012